(57)【要約】      （修正有）【課題】ペレット燃料に適し、ガス漏れや爆発を心配せずに安全に利用でき、且つ断熱効果及びエネルギー効率に優れ、環境保護に役立つ、ペレットストーブを提供する。【解決手段】ペレットストーブは、ストーブ１０、燃焼室２０、送風装置、燃料供給装置４０を備え、ストーブは外殻１１と筐体１２を含み、外殻が相対する投入側１１１及び燃焼側１１２を有し、投入側に投入シュート１１３が設置される。燃焼室はストーブと分離可能に組み合わされると共に、筐体内において筐体と間隔を置いて設置される燃焼室本体２１を含み、燃焼室本体に外殻の内部と連通する複数の孔穴が形成される。送風装置はストーブ内に設置されると共に燃焼室寄りの側に送風ファン３１が設けられ、送風ファンが外殻内に配置されると共に燃焼室に向かって外気を送ることにより空気断熱空間を形成する。【選択図】図３
0003228962.tif 000002
【実用新案登録請求の範囲】
【請求項１】
ペレットストーブであって、ストーブ、燃焼室、送風装置、燃料供給装置を備え、
前記ストーブは、外殻と筐体を含み、該外殻が、相対する投入側及び燃焼側を有し、該投入側に投入シュートが設置され、該筐体が、該外殻の燃焼側において、該外殻と間隔を置いて設置され、これにより、該筐体と外殻の間に外側断熱空間が形成され、
前記燃焼室は、前記ストーブと分離可能に組み合わされると共に、燃焼室本体を含み、該燃焼室本体が前記筐体内において、該筐体と間隔を置いて設置され、これにより、該燃焼室本体と筐体の間に内側断熱空間が形成され、また、該燃焼室本体の底部、該筐体及び外殻の底部の間に空氣流道が設けられ、該燃焼室本体に、該外殻の内部と連通する複数の孔穴が形成され、
前記送風装置は、前記ストーブ内に設置されると共に、前記燃焼室寄りの側に送風ファンが設けられ、該送風ファンが、前記外殻内において、該燃焼室に向かうように、傾斜に設置され、
前記燃料供給装置は、前記ストーブ内において、前記投入シュートの下方に、前記燃焼室と連通するように設置されることを特徴とするペレットストーブ。
【請求項２】
前記筐体の頂部は、開口を有すると共に前記外殻外に露出され、該筐体の片側の底部に連通口が設けられ、前記外殻の内部空間が、該連通口を通して該筐体及び前記燃焼室本体の内部空間と連通し、該燃焼室本体が該筐体の頂部に当接するように該筐体内に間隔を置いて設置されることを特徴とする請求項１に記載のペレットストーブ。
【請求項３】
前記筐体の外周壁上に複数の凸部が間隔を置いて設けられ、該複数の凸部を介して、該筐体が前記外殻と離間するように保持され、これにより、該筐体と外殻の間に外側断熱空間が形成され、
前記燃焼室本体の外周壁上に複数の凸部が間隔を置いて設けられ、該複数の凸部を介して、該燃焼室本体が該筐体と離間するように保持され、これにより、使該燃焼室本体と筐体の間に内側断熱空間が形成されることを特徴とする請求項１に記載のペレットストーブ。
【考案の詳細な説明】
【技術分野】
【０００１】
本考案は、ストーブに関し、特に、優れた断熱効果と安全性を持ち、且つ環境にやさしいペレットストーブに関するものである。
【背景技術】
【０００２】
現代人は生活の質を重視しつつ、余暇活動に目を向けるようになり、その中でピクニックやキャンピングなどのアウトドアレジャーが次第に盛んになり、野外で調理する時に、カセットコンロやバーベキューコンロ、ペレットストーブなどの調理器具が一般的に広く使われている。カセットコンロという料理器具は、カセットガスを利用することで、手軽に調理することができるが、ガス漏れや爆発に関する安全面での虞があると共に、大量な二酸化炭素が生成される環境問題が懸念される。バーベキューコンロで炭を利用して調理する方法では、食材に炭火の香ばしさが付き、食材をよりおいしくすることができるが、人体に有害な物質を含む材料を燃料として知らずに焚いてしまったり、不完全燃焼による一酸化炭素中毒を起こしたりする恐れがあり、また、開放的な加熱手段であるため、熱が逃げやすく、エネルギー効率が悪い問題もある。他に、キャンプ用バーナー（通称シングルバーナー）は、コンパクトに折り畳めることができ、持ち運びが便利且つ収納が容易であることから、多くの人に愛用されているが、カセットガスと一緒に使用する必要があることから、同じくガス漏れや爆発の恐れ、及び二酸化炭素の排出問題がある。
【０００３】
近年、環境保護意識の高まりにより、果樹の枝葉や竹、お茶の実などをいったん顆粒状に破砕し、それを小粒の棒状に圧縮成型した、ペレット燃料といわれる固形燃料が既に開発されており、このペレット燃料を調理時の燃料として利用する時、素材によって当該ペレット燃料は独特の香りを有することから、食材に香味を付け、また、炭素循環の枠内で二酸化炭素の総量を増加させるものではないため、二酸化炭素排出量削減の観点から見れば、環境保護に最適な燃料とも言える。現在のところ、いかにペレット燃料の使用に適し、エネルギー効率及び使用時の安全性の両方を備えたペレットストーブを提供するかが、現在の業界においての課題である。
【考案の概要】
【考案が解決しようとする課題】
【０００４】
本考案は、前記の従来技術の欠点に鑑みてなされたものであり、ペレット燃料に適し、ガス漏れや爆発を心配せずに安全に利用でき、且つ断熱効果及びエネルギー効率に優れ、環境保護に役立つ、ペレットストーブを提供することを目的としている。
【課題を解決するための手段】
【０００５】
上記目的を達成するために、本考案は、ペレットストーブであって、ストーブ、燃焼室、送風装置、燃料供給装置を備え、前記ストーブは、外殻と筐体を含み、該外殻が、相対する投入側及び燃焼側を有し、該投入側に投入シュートが設置され、該筐体が、該外殻の燃焼側において、該外殻と間隔を置いて設置され、これにより、該筐体と外殻の間に外側断熱空間が形成され、前記燃焼室は、前記ストーブと分離可能に組み合わされると共に、燃焼室本体を含み、該燃焼室本体が前記筐体内において、該筐体と間隔を置いて設置され、これにより、該燃焼室本体と筐体の間に内側断熱空間が形成され、また、該燃焼室本体の底部、該筐体及び外殻の底部の間に空氣流道が設けられ、該燃焼室本体に、該外殻の内部と連通する複数の孔穴が形成され、前記送風装置は、前記ストーブ内に設置されると共に、前記燃焼室寄りの側に送風ファンが設けられ、該送風ファンが、前記外殻内において、該燃焼室に向かうように、傾斜に設置され、前記燃料供給装置は、前記ストーブ内において、前記投入シュートの下方に、前記燃焼室と連通するように設置されることを特徴とする。
【考案の効果】
【０００６】
上記の技術手段によれば、本考案に係るペレットストーブは、少なくとも以下に示す優れた点と効果を有する。
１、優れた断熱効果：外殻、筐体、燃焼室が間隔を置いて配置されていることから、本考案に係るペレットストーブの使用時に、送風ファンによって送られる気流は、該三つの構造体の間に二重の空気断熱空間を形成し、さらに、燃焼室本体の底部と外殻も離間されたことから、燃焼室本体内で高温燃焼するペレット燃料の温度が、熱伝導により筐体に伝わるのを効果的に防止できるので、筐体から熱伝導で外殻に熱を伝わることはなく、このような構成により、本考案に係るペレットストーブは、燃焼室の内部が高温で燃焼する時に、外部の二重断熱構造を介して高温を隔離する効果を達成できるので、エネルギー効率及び燃焼力の向上が図れる。
２、安全かつ便利に利用できる：本考案に係るペレットストーブは、カセットガスを利用せず、その代わりにペレット燃料を利用し、これにより、ガス漏れ又は爆発による安全上の懸念を回避でき、また、送風装置及び燃料供給装置は電力で駆動されることから、手軽且つ迅速に火を起こして調理することができる。
３、環境保護に役立つ：本考案によれば、木質ペレットを燃料として利用することにより、二酸化炭素の総量を増加させることなく、また、燃焼中に独特の香りが発生することから、食材に移って豊かな風味を付与することに加え、環境にやさしく、低公害で、趣のあるペレットストーブを提供する。
【図面の簡単な説明】
【０００７】
【図１】本考案に係るペレットストーブを示す斜視図である。
【図２】本考案に係るペレットストーブを他の角度から見た時の斜視図である。
【図３】本考案に係るペレットストーブの部分分解図である。
【図４】本考案に係るペレットストーブの側面透視図である。
【図５】本考案に係るペレットストーブの一部の側面断面図である。
【図６】本考案に係るペレットストーブの一部の上面断面図である。
【図７】本考案に係るペレットストーブの使用状態を示す模式図である。
【考案を実施するための形態】
【０００８】
本考案の技術特徴及び実用効果を詳しく理解し、且つ明細書の内容に基づいて実現できるように、以下では、図面に示す好適な実施例により詳細に説明する。
【０００９】
図１〜図４に示す好適な実施例において、本考案に係るペレットストーブは、ストーブ１０と、燃焼室２０と、送風装置３０と、燃料供給装置４０を備える。
【００１０】
前記ストーブ１０は外殻１１及び筐体１２を含み、該外殻１１が矩形状のシェル構造体である。尚、該外殻１１はステンレス鋼や鉄などの金属材料からなるシェル構造体であることが好ましく、またその表面に塗装しても構わない。前記外殻１１が、相対する投入側１１１及び燃焼側１１２を有し、該投入側１１１の上半部に投入シュート１１３が傾斜に設置され、ペレット燃料が、該燃焼側１１２に向かうように該投入シュート１１３を通って、該外殻１１内に搬送される。さらに前記外殻１１における、前記投入シュート１１３の設置位置と対応する箇所に、蓋体１１４が回動可能に枢設され、該蓋体１１４は、該投入シュート１１３を覆い、回動動作に伴って該投入シュート１１３を開閉するものである。また、前記蓋体１１４は、前記外殻１１に対して外側に回動した後、前記投入シュート１１３の延長として利用することができる。前記外殻１１の底部における、前記燃焼側１１２に近い箇所に、落下穴１１５と該落下穴１１５を開閉する灰落し１１６が設けられ、前記投入側１１１と燃焼側１１２との間に、複数の空気孔１１７が間隔を置いて設けられる。
【００１１】
前記筐体１２は、中空状の四方枠であって、前記外殻１１内における、前記燃焼側１１２寄りかつ前記落下穴１１５の上方に配置され、該落下穴１１５を開閉するための前記灰落し１１６が、該落下穴１１５と筐体１２との間に、該筐体１２に対して移動可能に配置される。前記筐体１２の頂部は、開口を有すると共に前記外殻１１外に露出され、該筐体１２の外周壁は、該外殻１１から離間している。尚、図５及び図６に示すように、前記筐体１２の外周壁上に、複数の凸部１２１が間隔を置いて設けられ、該複数の凸部１２１を介して該筐体１２が前記外殻１１と離間するように保持され、これにより、該筐体１２と外殻１１の間に外側断熱空間Ｃが形成される。前記筐体１２における、前記投入シュート１１３に向かう側面に、貫通孔１２２が設けられ、当該片側の底部に連通口１２３が設けられ、前記外殻１１の内部空間が、該連通口１２３を通して該筐体１２内部空間と連通することが可能となる。さらに、図３示すように、前記筐体１２における、前記貫通孔１２２が設けられた側面が空気誘導面１２４であり、図５に示すように、前記連通口１２３は、該空気誘導面１２４の底部から前記外殻１１の底部までの間の高さＷを有する。
【００１２】
前記燃焼室２０は、前記ストーブ１０と分離可能に組み合わされると共に、燃焼室本体２１と支持フランジ２２を含み、該燃焼室本体２１が前記筐体１２内において、該筐体１２と間隔を置いて設置される。尚、図５及び図６に示すように、前記燃焼室本体２１の外周壁上に、複数の凸部２１１が間隔を置いて設けられ、該複数の凸部２１１を介して該燃焼室本体２１が前記筐体１２と離間するように保持され、これにより、該筐体１２と外殻１１の間に内側断熱空間Ｂが形成される。図６に示すように、前記燃焼室本体２１の底部に、複数の孔穴２１２が設けられ、該燃焼室本体２１の内部空間が、該複数の孔穴２１２を通して前記筐体１２内部空間と連通することが可能となる。さらに、図５に示すように、前記燃焼室本体２１の底部と外殻１１の底部とを接触させないために、両者の間に間隙Ｄが空けられ、これにより、空気通路Ａが形成され、また、該燃焼室本体２１における、前記筐体１２の貫通孔１２２に向かう側面に、投入口２１３が設けられる。前記支持フランジ２２が、前記筐体１２の頂部開口の外周を囲繞するように形成され、前記燃焼室本体２１が、前記灰落し１１６の上方に、該支持フランジ２２を介して、前記筐体１２に当接するように支持される。尚、前記ペレットストーブは、前記支持フランジ２２上に、着脱自在に設置される五徳５０をさらに有することが好ましい。
【００１３】
前記送風装置３０は、前記ストーブ１０内における、前記燃焼側１１２寄りの側に設置されると共に、送風ファン３１及びファン回転数調節ノブ３２を含み、該送風ファン３１は、前記外殻１１内における、前記筐体１２と複数の空気孔１１７の間に配置され、具体的に述べると、該送風ファン３１は、該筐体１２の連通口１２３に向かうように設置されると共に、該筐体１２との間に夾角θを有し、その夾角θが１５゜〜１０５゜の間であるが、４５゜であることが好ましい。また、前記ストーブ１０において、前記送風ファン３１の夾角θに応じて、異なる長さの空気誘導面１２４を持つ筐体１２及び異なる前記高さＷ持つ連通口１２３が配置されることができる。前記ファン回転数調節ノブ３２は、前記外殻１１上において、前記送風ファン３１と電気接続されるように設置され、該送風ファン３１を回転を調整するために用いられる。
【００１４】
前記燃料供給装置４０は、前記ストーブ１０内において、前記燃焼室２０と連通するように設置されると共に、搬送筒４１、搬送スクリュー４２、搬送モータ４３、モータ回転数調節ノブ４４を含み、該搬送筒４１は、前記投入シュート１１３の下方に配置されると共に、前記筐体１２の貫通孔１２２及び前記燃焼室本体２１の投入口２１３を通して前記燃焼室２０と連通し、該搬送スクリュー４２が該搬送筒４１内に回転可能に設置され、該搬送モータ４３が、前記外殻１１内に、該搬送スクリュー４２と連結されるように設置され、該モータ回転数調節ノブ４４は、該外殻１１上において該搬送モータ４３と電気接続されるように設置され、該搬送モータ４３の回転数を制御することで、該搬送スクリュー４２の回転数を調節する。尚、前記ペレットストーブは、前記外殻１１上において、前記送風装置３０及び燃料供給装置４０と電気接続される電源コネクタ６０をさらに含むことが好ましい。
【００１５】
図２に示すように、本考案に係るペレットストーブを使用する際に、まず、前記灰落し１１６が前記落下穴１１５を閉鎖しているかを確認し、その後、前記送風装置３０及び燃料供給装置４０に電力を供給するため、外部電源、例えばモバイルバッテリーを前記電源コネクタ６０に接続し、ここでの送風装置３０の送風ファン３１は常時稼働（常時オン）状態に設定されているため、モバイルバッテリーを該電源コネクタ６０に接続すると、該送風ファン３１が直に運転し始める。詳しく述べると、前記ファン回転数調節ノブ３２の回転操作に伴い、前記送風ファン３１の回転を調節し、これにより、前記燃焼室２０への供給空気量を調整し、一方、前記モータ回転数調節ノブ４４の回転操作に伴い、前記搬送モータ４３を駆動し、前記搬送スクリュー４２は、該搬送モータ４３の回転に連れて、前記搬送筒４１に対して回転する。
【００１６】
さらに、図３及び図７を参照し、前記燃焼室２０を前記ストーブ１０から取り出して、前記燃焼室本体２１内に少量のペレット燃料７０を入れ、着火剤やトーチバーナーを利用して火を起こし、その後、該燃焼室本体２１を前記外殻１１内に入れ戻して、前記筐体１２と離間するように取り付ける。この時、常時稼働している送風ファン３１は、図２に示された前記複数の空気孔１１７から前記外殻１１内に外気を導入し、前記連通口１２３を通して、前記燃焼室本体２１の底部と該筐体１２及び外殻１１の底部との間の空気通路Ａへ送風し、すると、該空気通路Ａを流れる空気の一部は、図６に示された複数の孔穴２１２を通して該燃焼室２０内へ導入され、残りの空気は、該筐体１２と燃焼室本体２１との間の内側断熱空間Ｂへ導入され、これにより、涼しい外気が常に流れている断熱空間を形成する。前記筐体１２と外殻１１との間に形成された外層断熱空間Ｃを加えることで、該外殻１１、筐体１２及び燃焼室２０の間に、二重の空気断熱空間を形成し、それに伴い、前記燃焼室本体２１の底部と該外殻１１も離間している（間隙Ｄ）ことにより、該燃焼室本体２１内で高温燃焼しているペレット燃料７０の温度が、熱伝導により該筐体１２に伝わるのを効果的に防止することができるので、該筐体１２から熱伝導で該外殻１１に熱を伝わることはなく、このような構成により、本考案に係るペレットストーブは、該燃焼室２０の内部が高温（４００〜４５０℃）で燃焼する時に、外部の二重断熱構造を介して高温を隔離する効果（７０〜８０℃）を達成できる。
【００１７】
前記送風ファン３１によって導入された外気は、燃焼している前記ペレット燃料７０へ酸素供給のために送られ、これで、安定かつ十分な火力を生成できる。また、前記外殻１１、筐体１２及び燃焼室２０との間へ気流を流すことで、二重の空気断熱空間を形成することと、該送風ファン３１からの風力により、該筐体１２及び外殻１１に放熱効果を与えることにより、該燃焼室２０からの高温による影響を大幅に低減できる。前記燃焼室２０内のペレット燃料７０がある程度燃焼すると、前記蓋体１１４を開いて、前記ペレット燃料７０を充填し、その後、前記モータ回転数調節ノブ４４を回動操作して、前記搬送スクリュー４２を回転させ、すると、該ペレット燃料７０が前記投入シュート１１３を通して前記搬送筒４１に進入し、該搬送スクリュー４２を介して該燃焼室２０の燃焼室本体２１内へ搬送され、これにより、燃焼に必要な燃料を連続的に供給することができる。前記ペレット燃料７０の焼却灰は、図２に示された前記灰落し１１６の開放に伴い、前記落下穴１１５を通って排出することができる。
【００１８】
上述した技術特徴のように、本考案に係るペレットストーブは、前記送風装置３０が常時送風することにより、前記燃焼室２０内で燃焼する前記ペレット燃料７０へ、燃焼に必要な酸素を供給して、安定かつ十分な火力を生成でき、且つ、前記燃料供給装置４０を介して、燃焼に必要な燃料を連続的に供給することで、該ペレットストーブは、使用時においての火力の安定性を確保できるので、調理性能を高める。また、前記燃焼室２０が前記ストーブ１０内に配置されることにより、横風などの外部風からの影響が排除されることから、山頂または海岸など強風のある場所でも、安定した火力を確保することができる。さらに、本考案に係るペレットストーブは、前記電源コネクタ６０を備えていることにより、モバイルバッテリーと接続して、前記送風装置３０及び燃料供給装置４０に電力を提供できることから、キャンプ場や、高山、浜辺などソケットの場所でも利用することができるので、場所によって使用制限されることがない。また、前記五徳５０を備えることにより、グリルパンや、鉄板、焼き網、溶岩プレート、鍋、ポットなどの調理道具を載せれば、様々な調理形態で調理することができるので、実用性に優れている。
【符号の説明】
【００１９】
１０    ストーブ
１１    外殻
１１１    投入側
１１２    燃焼側
１１３    投入シュート
１１４    蓋体
１１５    落下穴
１１６    灰落とし
１１７    空気孔
１２    筐体
１２１    凸部
１２２    貫通孔
１２３    連通口
１２４    空気誘導面
２０    燃焼室
２１    燃焼室本体
２１１    凸部
２１２    孔穴
２１３    投入口
２２    支持フランジ
３０    送風装置
３１    送風ファン
３２    ファン回転数調節ノブ
４０    燃料供給装置
４１    搬送筒
４２    搬送スクリュー
４３    搬送モータ
４４    モータ回転数調節ノブ
５０    五徳
６０    電源コネクタ
７０    ペレット燃料
θ    夾角
Ａ    空気通路
Ｂ    内側断熱空間
Ｃ    外側断熱空間
Ｄ    間隙
Ｗ    高さ
【図１】
0003228962.tif 000003
【図２】
0003228962.tif 000004
【図３】
0003228962.tif 000005
【図４】
0003228962.tif 000006
【図５】
0003228962.tif 000007
【図６】
0003228962.tif 000008
【図７】
0003228962.tif 000009